(57)【要約】      （修正有）【課題】バックルやとめ具を使用しない帯部材を形成し、安定性のある形状の対面抱き専用子守帯を提供する。【解決手段】左肩帯部材（ａ）と右肩帯部材（ｂ）を直角に交差させ固定した連結交差部（ｄ）が乳幼児の股を通して受ける座面を形成し、乳幼児の脇下から保持する背当て部材（ｃ）が設けられている。左肩帯部材（ａ）と右肩帯部材（ｂ）はそれぞれ輪形状に固定され、装着者の背面には帯部材が交差し、乳幼児を安定して抱くことができる。クッション材（ｅ・ｆ）および帯変形部（ｉ・ｊ）を設け、装着者の負担を軽減させている。また、ファスナー（ｍ）により背当て部材（ｃ）に開閉部を設け、面倒な操作を必要とせずに抱くことができるようになっている。【選択図】図１
0003115985.tif 000002
【実用新案登録請求の範囲】
【請求項１】
一定幅形状の左肩帯部材と右肩帯部材および略直角二等辺を有した背当て部材からなる乳幼児と対面して抱くための子守帯であって、前記左肩帯部材と前記右肩帯部材を略直角に交差させ固定した乳幼児の座面を形成する連結交差部を有し、前記左肩帯部材と前記右肩帯部材はそれぞれ輪形状に固定されており、前記背当て部材は前記左肩帯部材と前記右肩帯部材および前記連結交差部に固定され、前記左肩帯部材は装着者の左肩に、前記右肩帯部材は装着者の右肩に、前記連結交差部及び前記背当て部材は装着者の前腹部に位置し、装着者の背面部には前記左肩帯部材と前記右肩帯部材が交差することを特徴とする対面抱き専用子守帯。
【請求項２】
前記左肩帯部材と前記右肩帯部材は、内部にクッション材を設け、装着者の前腹部から脇腹部位に幅の形状を変化させた帯変形部を設け、前記帯変形部は、前記左肩帯部材および前記右肩帯部材をそれぞれ折り返すことで変形し固定したものであることを特徴とする請求項１に記載の対面抱き専用子守帯。
【請求項３】
前記背当て部材は略二等辺の一辺を前記左肩帯部材か前記右肩帯部材のいずれか一方に固定し、もう一辺をファスナーでもう一方の肩帯部材に固定し、これにより一辺に開閉部を有することを特徴とする請求項１または請求項２に記載の対面抱き専用子守帯。
【考案の詳細な説明】
【技術分野】
【０００１】この考案は、乳幼児を抱くための子守帯の形状に関するものである。
【背景技術】
【０００２】一般に乳幼児を子守帯で抱く際には、横抱き、前向き抱き、対面抱き、おんぶと複数の抱き方がある。中には１つの子守帯での複数の抱き方ができる機能を備えているものもあり、構造が複雑になっている。【０００３】また、子守帯の多くは、乳幼児の胴体を支え入れる保持部分とその保持部分を装着者の身体に保持するためにサイズ調整や着脱可能なバックルやとめ具が付属している保持帯が別々に形成され、連結されているものが多い。【０００４】そのような中、バックルやとめ具を使用しない帯部材を形成する子守帯が提案されている。（特許文献１）これは、２本の帯を輪にし、１箇所交差させ縫製したものであるが、乳幼児の上半身が不安定な状態になることもありうるので、装着者はあくまでこの帯は補助的なものという認識のもとで使用するものである。
【特許文献１】特開２００４−２５０８４７号公報
【考案の開示】
【考案が解決しようとする課題】
【０００５】この考案の目的は、バックルやとめ具を使用しない帯部材を形成し、上記のような従来技術の不安定さの問題点に鑑みて、安定性のある形状の対面抱き専用子守帯を提供する。【０００６】また他の目的として、乳幼児の荷重の負担を軽減させ、装着性能の向上を図る対面抱き専用子守帯を提供する。【０００７】また他の目的として、面倒な操作を必要とせずに抱くことができる対面抱き専用子守帯を提供する。
【課題を解決するための手段】
【０００８】この考案に基づいた対面抱き専用子守帯においては、一定幅形状の左肩帯部材と右肩帯部材および略直角二等辺を有した背当て部材からなる乳幼児と対面して抱くための子守帯であって、前記左肩帯部材と前記右肩帯部材を略直角に交差させ固定した乳幼児の座面を形成する連結交差部を有し、前記左肩帯部材と前記右肩帯部材はそれぞれ輪形状に固定されており、前記背当て部材は前記左肩帯部材と前記右肩帯部材および前記連結交差部に固定され、前記左肩帯部材は装着者の左肩に、前記右肩帯部材は装着者の右肩に、前記連結交差部及び前記背当て部材は装着者の前腹部に位置し、装着者の背面部には前記左肩帯部材と前記右肩帯部材が交差することを特徴とする。【０００９】また好ましくは、前記左肩帯部材と前記右肩帯部材は、内部にクッション材を設け、装着者の前腹部から脇腹部位に幅の形状を変化させた帯変形部を設け、前記帯変形部は、前記左肩帯部材および前記右肩帯部材をそれぞれ折り返すことで変形し固定したものであることを特徴とする。【００１０】また好ましくは、前記背当て部材は略二等辺の一辺を前記左肩帯部材か前記右肩帯部材のいずれか一方に固定し、もう一辺をファスナーでもう一方の肩帯部材に固定し、これにより一辺に開閉部を有することを特徴とする。
【考案の効果】
【００１１】この考案により、抱き方を対面抱き専用の子守帯にしたことで、他の抱き方に必要とする部材をはずせ、左肩帯部材と右肩帯部材が輪になっていることによって、バックルやとめ具を使用しない帯部材が形成した。そして、背当て部材を設けたことで乳幼児が動いたりしても背当て部材が乳幼児の脇から下を保持することができ、より安定性のある形状の対面抱き専用子守帯を提供することが可能になる。【００１２】そして、左肩帯部材と右肩帯部材内にクッション材で荷重の負担を軽減するとともに、装着者の前腹部から脇腹部位に幅の形状を変化させた帯変形部を形成することによって、乳幼児の荷重でかかる帯部材のしわや食い込みを防ぐことができ、装着性能の向上を図ることを可能としている。また、帯変形部は折り返して重なり合わせ固定しているので、細くなる部分にも強度を保つことが可能になる。【００１３】この考案の使用方法は、連結交差部および背当て部材が装着者の前腹部にくるように左肩帯部材と右肩帯部材の輪をかぶり、装着してから乳幼児を抱き入れる方法であるが、背当て部材のファスナーにより開閉部を設けたことで、乳幼児を抱き入れる際は、背当て部材が邪魔にならずに乳幼児の足と胴体を装着することができ、抱き入れた後は、乳幼児のお尻の丸みが影響せずに背当て部材を装着することができ、ファスナーの上げ下げのみの作業で、面倒な操作を必要とせず装着することが可能になる。
【考案を実施するための最良の形態】
【００１４】この考案の装着図を図１に示す。＜１＞は装着者が乳幼児を抱いた時の正面図であり、左肩帯部材ａは装着者の左肩から右脇腹へ、右肩帯部材ｂは右肩から左脇腹へ、背当て部材ｃおよび連結交差部ｄは前腹部に位置する。＜２＞は装着者が乳幼児を抱いた時の背面図であり、左肩帯部材ａと右肩帯部材ｂが交差する、この構成により、左肩帯部材ａと右肩帯部材ｂで荷重を肩と背中で受けるので局部的に力がかかることが軽減される。【００１５】図２は平面図である。＜３＞は正面図、＜４＞は背面図である。左肩帯部材ａと右肩帯部材ｂは直角に交差しており、その交差部分を固定（縫製固定部分点線ｄ１）した連結交差部ｄは乳幼児の股を通して受ける座面を形成する。左肩帯部材ａと右肩帯部材ｂおよび連結交差部ｄに接して、乳幼児の脇から下を保持するための背当て部材ｃが設けられている。この構成により、乳幼児の上半身が安定する。【００１６】そして、左肩帯部材ａはｇ１ｇ２・ｇ３ｇ４で輪になっていて、右肩帯部材ｂはｈ５ｈ６・ｈ７ｈ８で輪になっている。この構成により、バックルやとめ具を使用しない帯部材を形成する。【００１７】また、左肩帯部材ａと右肩帯部材ｂの内部にはｅ・ｆ（斜線部分）にクッション材を設けている。この部分は特に荷重を受けるところである。さらに、装着者の前腹部から脇腹部位にも荷重がかかるため、左肩帯部材ａと右肩帯部材ｂに幅の形状を左右対称に変化させた帯変形部ｉ・ｊを設けている。【００１８】この帯変形部ｉ・ｊの変形手順を図３に示す。まず、左肩帯部材ａの帯変形部ｉの変形方法を説明する。図左の＜５＞から＜８＞順に、＜５＞ｋ１ｋ２で折り返す。＜６＞ｋ３ｋ４に沿って折り返す。＜７＞ｋ５ｋ６をｋ７ｋ８に沿うように折り返す。＜８＞重なり合ったすべての部分を縫製し固定する。同様に右肩帯部材ｂの帯変形部ｊは前述の左肩帯部材ａの帯変形部ｉと左右対称になるように変形させる。＜９＞帯変形部ｉを設けた左肩帯部材ａと＜１０＞帯変形部ｊを設けた右肩帯部材ｂをｄ２の位置で直角に交差させ、その交差部分を固定（縫製固定部分点線ｄ１）し、背当て部材ｃを設けたものが＜１１＞である。帯端ｋ９ｋ１０と帯端ｋ１１ｋ１２を、帯端ｋ１３ｋ１４と帯端ｋ１５ｋ１６をそれぞれ輪に合わせ、縫製したものが完成図＜１２＞である。この構成により、一定幅形状の帯部材から切断することなく帯変形部を作り出すことができるとともに、幅の細くなる部分にも強度を保つことが可能になる。【００１９】図４は、その帯変形部ｉ・ｊを装着時に＜１３＞は左側面から、＜１４＞は右側面から見た図である。この帯変形部ｉ・ｊは、装着者の前腹部（ｄ２）から脇腹（ｉ７およびｊ８）部位にあたる。この部位は帯変形部を設けずに一定幅のままであると乳幼児の荷重で帯部材にしわがより、乳幼児の荷重によっては帯部材が脇腹部位に食い込む。しかしながら帯変形部を設けたことより、装着者の腹部まわりに合うようになり、帯部材のしわ防止とともに脇腹部位への圧迫も軽減される。【００２０】図５は開閉部を開いたときの平面図である。背当て部材ｃは直角二等辺をもつ形状部材であり、この背当て部材ｃの一辺ｎを左肩帯部材ａに固定し、もう一辺を右肩帯部材ｂにファスナーｍで固定する。この構成により、一辺に開閉部ができ乳幼児を抱き入れやくなる。また、ファスナーｍは左肩帯部材ａの端より中へずらしたことにより、ファスナーによる乳幼児の衣類の巻き込みを防ぐことができる。また、図２の＜３＞はファスナーｍを閉じた状態であり、外見上ファスナーが見えないようになっている。【００２１】開閉部の着脱部材は、マジックテープのような面ファスナーや凹凸のボタンでも代用できるが、設置場所が乳幼児のおしりの丸みがでる場所のため、装着時に場所を確認しながら行う上述の着脱部材より、上げ・下げの操作で簡単にできるファスナーのほうが面倒な操作を必要としない。【００２２】図５で示したように、一般的に右利きの設定として装着した時の右側にファスナーｍをつけたが、場合によりファスナー設置場所は左側の形態も可能である。【００２３】この実施形態によれば、平面的な部材を使用しているので、連結交差部ｄを中心に帯部材を折りたたんでいくことができるので、コンパクトになり持ち運びや収納にも便利である。【００２４】そして、サイズ調整機能を省いた子守帯であるゆえに、帯部材の長さのサイズを揃え商品展開していく。また、素材の色や柄などを変化させてファッション的な商品としても展開できる。
【図面の簡単な説明】
【００２５】
【図１】この考案の一実施形態を示す装着図であり、＜１＞は正面図、＜２＞は背面図である。
【図２】この考案の一実施形態を示す平面図であり、＜３＞は正面図、＜４＞は背面図である。
【図３】この考案の一実施形態を示す部材構成に関する図であり、＜５＞から＜１０＞は帯変形部の変形手順を示す図であり、＜１１＞は帯部材および背当て部材の配置図であり、＜１２＞は完成図である。
【図４】この考案の一実施形態を示す装着図であり、＜１３＞は左側面図、＜１４＞は右側面図である。
【図５】この考案の一実施形態を示すファスナー開閉部の平面図である。
【符号の説明】
【００２６】ａ  左肩帯部材                          ｂ  右肩帯部材
ｃ  背当て部材                          ｄ  連結交差部
ｄ１  縫製固定部分                      ｄ２  左右帯部材交差場所
ｅ  左クッション材                      ｆ  右クッション材
ｇ１・ｇ２，ｇ３・ｇ４  左肩帯部材の輪  ｈ５・ｈ６，ｈ７・ｈ８  右肩帯部材の輪
ｉ  左肩帯変形部                        ｉ７  左肩帯変形部の端
ｊ  右肩帯変形部                        ｊ８  右肩帯変形部の端
ｋ１〜ｋ１６  変形部の形成
ｍ  ファスナー                          ｎ  背当て部材縫製部
【図１】
0003115985.tif 000003
【図２】
0003115985.tif 000004
【図３】
0003115985.tif 000005
【図４】
0003115985.tif 000006
【図５】
0003115985.tif 000007